【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、ズーミングに際して、該第１レンズ群は不動で、該第２、第３、第４レンズ群が移動するズームレンズにおいて、
広角端から望遠端へのズーミングに伴う前記第３レンズ群の移動量をｆ３ｓｔ、該第３レンズ群の焦点距離をｆ３、第２レンズ群の広角端における横倍率をβ２ｗ、ズーム比をＺとするとき、
０．０１０＜（｜ｆ３ｓｔ｜／ｆ３）／ｚ＜０．０４５
−０．３３＜β２ｗ＜−０．２０
なる条件式を満足することを特徴とするズームレンズ。
【請求項２】
前記第１レンズ群の焦点距離をｆ１とするとき、
１．６＜ｆ１／ｆ３＜２．７
なる条件式を満足することを特徴とする請求項１に記載のズームレンズ。
【請求項３】
広角端から望遠端までのズーミングに伴う前記第２レンズ群の移動量をｆ２ｓｔ、該第２レンズ群の焦点距離をｆ２とするとき、
２．４＜｜ｆ２ｓｔ／ｆ２｜＜３．８
なる条件式を満足することを特徴とする請求項１又は２に記載のズームレンズ。
【請求項４】
前記第２レンズ群に含まれる各レンズの材料の平均屈折率をｎｄ２とするとき、
ｎｄ２＞１．８０
なる条件式を満足することを特徴とする請求項１乃至３のいずれか１項に記載のズームレンズ。
【請求項５】
前記第２レンズ群と前記第３レンズ群の間に開口絞りを有し、ズーミングに際して該第３レンズ群は該開口絞りと独立に移動することを特徴とする請求項１乃至４のいずれか１項に記載のズームレンズ。
【請求項６】
前記第３レンズ群の全体あるいは一部は、光軸に対して垂直方向の成分を持つように移動して、撮影画像を光軸に対して垂直方向に移動させることを特徴とする請求項１乃至５のいずれか１項に記載のズームレンズ。
【請求項７】
請求項１乃至６のいずれか１項に記載のズームレンズと該ズームレンズによって形成された像を受光する撮像素子を有することを特徴とする撮像装置。
【請求項８】
画像処理によって収差を補正する補正手段を有し、前記ズームレンズは、広角端における有効像円径が望遠端における有効像円径よりも小さいことを特徴とする請求項７に記載の撮像装置。
【手続補正２】
【補正対象書類名】明細書
【補正対象項目名】０００９
【補正方法】変更
【補正の内容】
【０００９】
本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際して、該第１レンズ群は不動で、該第２、第３、第４レンズ群が移動するズームレンズにおいて、広角端から望遠端へのズーミングに伴う前記第３レンズ群の移動量をｆ３ｓｔ、該第３レンズ群の焦点距離をｆ３、第２レンズ群の広角端における横倍率をβ２ｗ、ズーム比をＺとするとき、
０．０１０＜（｜ｆ３ｓｔ｜／ｆ３）／ｚ＜０．０４５
−０．３３＜β２ｗ＜−０．２０
なる条件式を満足することを特徴としている。
【手続補正３】
【補正対象書類名】明細書
【補正対象項目名】００１７
【補正方法】変更
【補正の内容】
【００１７】
Ｇは光学フィルター、フェースプレート等に相当する光学ブロックである。ＩＰは像面であり、デジタルスチルカメラやビデオカメラの撮影光学系として使用する際にはＣＣＤセンサやＣＭＯＳセンサ等の固体撮像素子の撮像面が、銀塩フィルム用カメラのときはフィルム面に相当する。収差図において、球面収差はｄ線，ｇ線について示している。非点収差図においてΔＭ，ΔＳはメリディオナル像面、サジタル像面である。倍率色収差はｇ線によって表している。また、ＦｎｏはＦナンバーである。ωは半画角（度）である。尚、以下の各実施例において広角端と望遠端は変倍レンズ群（第２レンズ群）が機構上光軸上移動可能な範囲の両端に位置したときのズーム位置をいう。
【手続補正４】
【補正対象書類名】明細書
【補正対象項目名】００２９
【補正方法】変更
【補正の内容】
【００２９】
０．０１２＜（｜ｆ３ｓｔ｜／ｆ３）／ｚ＜０．０４２ ‥‥‥（１ｂ）
−０．３２＜β２ｗ＜−０．２２ ‥‥‥（２ｂ）
各実施例では以上の如く構成することにより、広画角かつ高ズーム比でズーム全域にわたり高い光学性能を有したコンパクトなズームレンズを得ることができる。各実施例において更に好ましくは次の諸条件のうち１以上を満足するのが良い。第１レンズ群Ｌ１の焦点距離をｆ１とする。広角端から望遠端へのズーミングに伴う第２レンズ群Ｌ２の移動量をｆ２ｓｔ、第２レンズ群Ｌ２の焦点距離をｆ２とする。第２レンズ群Ｌ２に含まれる各レンズの材料の平均屈折率をｎｄ２とする。このとき、
１．６＜ｆ１／ｆ３＜２．７ ‥‥‥（３）
２．４＜｜ｆ２ｓｔ／ｆ２｜＜３．８ ‥‥‥（４）
ｎｄ２＞１．８０ ‥‥‥（５）
なる条件式のうち１以上を満足するのが良い。
【手続補正５】
【補正対象書類名】明細書
【補正対象項目名】００３４
【補正方法】変更
【補正の内容】
【００３４】
１．６５＜ｆ１／ｆ３＜２．６５ ‥‥‥（３ａ）
２．５＜｜ｆ２ｓｔ／ｆ２｜＜３．７ ‥‥‥（４ａ）
ｎｄ２＞１．８３ ‥‥‥（５ａ）
より更に好ましくは、条件式（３ａ）〜（５ａ）の数値範囲を次の如く設定するのが良い。
【手続補正６】
【補正対象書類名】明細書
【補正対象項目名】００３５
【補正方法】変更
【補正の内容】
【００３５】
１．７＜ｆ１／ｆ３＜２．６ ‥‥‥（３ｂ）
２．７＜｜ｆ２ｓｔ／ｆ２｜＜３．５ ‥‥‥（４ｂ）
２．０＞ｎｄ２＞１．８３ ‥‥‥（５ｂ）
各数値実施例では以上のように各レンズ群を構成することによって、レンズ系全体を小型化し、簡易なレンズ構成にもかかわらず、全ズーム範囲、又、物体距離全般にわたり高い光学性能を得ている。
【手続補正７】
【補正対象書類名】明細書
【補正対象項目名】００３６
【補正方法】変更
【補正の内容】
【００３６】
特に各実施例によれば、画角が６８°以上の広画角で、かつ１０〜２０倍程度の高倍率（高ズーム比）に対応したズームレンズが得られる。更に、全系がコンパクトで広角端から望遠端に至る全ズーム範囲にわたり、又無限遠物体から至近距離物体に至る全物体距離にわたり高い光学性能を有したズームレンズが得られる。各実施例において、第２レンズ群Ｌ２と第３レンズ群Ｌ３の間に絞りＳＰを有し、ズーミングに際して第３レンズ群Ｌ３は絞りＳＰと独立に移動するのが良い。
【手続補正８】
【補正対象書類名】明細書
【補正対象項目名】００３９
【補正方法】変更
【補正の内容】
【００３９】
各実施例のズームレンズを画像処理によって収差を補正する補正手段を有する撮像装置に用いたときには、広角側での有効像円径が望遠端での有効像円径よりも小さくなるように画像処理を行っても良い。各実施例のズームレンズを画像処理によって収差を補正する補正手段を有する撮像装置に用いたときには、諸収差のうち歪曲収差の補正を電気的な画像処理によって補正しても良い。特に広角側においては最大撮影範囲（有効径円径）に対して小さい撮像範囲とし、歪曲収差の補正を行えば、更なる前玉有効径の小型化が容易になる。
【手続補正９】
【補正対象書類名】明細書
【補正対象項目名】００４０
【補正方法】変更
【補正の内容】
【００４０】
各実施例のズームレンズは、広角端から望遠端へのズーミングに際し、第１レンズ群は不動（固定）で、第２、第３、第４レンズ群を移動させることで、高ズーム比でありながら高性能を維持し、かつ少ない移動レンズ群数で高ズーム比化を実現している。特に、変倍作用を持つ第２レンズ群Ｌ２の負の屈折力を強くし、高ズーム比でありながら、少ない移動量で高変倍するようにしている。この時、第２レンズ群Ｌ２の負の屈折力を強くすると、第２レンズ群Ｌ２中での収差補正が困難となるが、第２レンズ群Ｌ２を物体側から像側へ順に負レンズを３枚用いて第２レンズ群Ｌ２の屈折力を適切にしている。これにより、高ズーム比と高性能化を図っている。
【手続補正１０】
【補正対象書類名】明細書
【補正対象項目名】００４１
【補正方法】変更
【補正の内容】
【００４１】
各実施例において第１レンズ群Ｌ１は物体側より像側へ順に、負レンズ、正レンズ、正レンズより成っている。具体的には第１レンズ群Ｌ１は物体側から像側へ順に、負レンズ、物体側が凸面の正レンズ、物体側が凸面でメニスカス形状の正レンズより成っている。第３レンズ群Ｌ３は物体側より像側へ順に、正レンズ、負レンズ、正レンズより成っている。第４レンズ群Ｌ４は、物体側から像側へ順に、正レンズと負レンズとを接合した接合レンズより成っている。
【手続補正１１】
【補正対象書類名】明細書
【補正対象項目名】００４３
【補正方法】変更
【補正の内容】
【００４３】
以下に、実施例１〜６に各々対応する数値実施例１〜６を示す。各数値実施例において、ｉは物体側からの面の順番を示し、ｒｉは第ｉ番目（第ｉ面）の曲率半径、ｄｉは第ｉ＋１面との間の間隔、ｎｄｉ、νｄｉはそれぞれｄ線を基準とした第ｉ番目の光学部材の材料の屈折率、アッベ数を示す。数値実施例１においてｒ１４は設計上用いたダミー面である。また、数値実施例１〜６で最も像側の８つの面は光学ブロックに相当する平面と設計上用いたダミー面である。非球面形状は光軸からの高さＨの位置での光軸方向の変位を面頂点を基準にしてＸとする。光の進行方向を正としＲを近軸曲率半径、ｋを円錐定数、Ａ４、Ａ６、Ａ８を各々非球面係数とする。このとき
【手続補正１２】
【補正対象書類名】明細書
【補正対象項目名】００４５
【補正方法】変更
【補正の内容】
【００４５】
なる式で表している。＊は非球面形状を有する面を意味している。「ｅ−ｘ」は１０−ｘを意味している。ＢＦはバックフォーカスであり、最終レンズ面から像面までの空気換算長である。尚、各数値実施例において絞りＳＰとダミー面を１つの群として示している。また最も像側の８つの面（平面）も１つの群として示している。従って全体としては、６つの群より成っているものとして示している。又、前述の各条件式と数値実施例における諸数値との関係を表−１に示す。
【手続補正１３】
【補正対象書類名】明細書
【補正対象項目名】００４６
【補正方法】変更
【補正の内容】
【００４６】
数値実施例１
面データ
面番号       r        d      nd         νd       有効径
1         53.041    1.35   1.84666    23.9       33.00
2         27.668    6.05   1.60311    60.6       29.80
3       -440.882    0.18                         28.80
4         24.922    3.45   1.69680    55.5       25.20
5         74.134  (可変)                         24.30
6        147.266    0.70   1.88300    40.8       14.60
7          7.285    2.97                         10.90
8       -111.952    0.60   1.80610    33.3       10.70
9         29.523    1.22                         10.40
10        -25.404    0.60   1.80400    46.6       10.40
11         40.496    0.27                         10.50
12         20.278    1.94   1.92286    18.9       10.80
13        -54.086  (可変)                         10.70
14          ∞       0.00                          8.65
15(絞り)    ∞     (可変)                          8.65
16*        10.402    3.01   1.58313    59.4       10.40
17       -129.903    4.39                         10.00
18         56.301    0.60   1.80518    25.4        8.10
19         10.489    0.59                          7.80
20*        21.401    2.23   1.58313    59.4        8.00
21        -36.073  (可変)                          8.30
22         13.790    3.07   1.69680    55.5        9.40
23        -22.255    1.10   1.84666    23.9        9.10
24       -236.089  (可変)                          8.90
25          ∞       0.19   1.54400    60.0       20.00
26          ∞       0.26   1.54400    60.0       20.00
27          ∞       0.80   1.51400    70.0       20.00
28          ∞       0.19   1.54400    60.0       20.00
29          ∞       1.00                         20.00
30          ∞       0.50   1.49000    70.0       20.00
31          ∞       1.00                         20.00
32          ∞                                 20.00
像面        ∞   
非球面データ
第16面
K =-8.66524e-001  A 4=-1.99723e-006  A 6= 7.05266e-008  A 8= 6.79053e-010  
第20面
K =-4.10770e-001  A 4=-2.43478e-005  A 6= 1.73933e-008  A 8=-1.14367e-011  
各種データ
ズーム比      9.81 
焦点距離       4.63    20.22    45.45 
Fナンバー      1.85     2.61     2.88
半画角（度）   34.50     8.95     4.01 
像高           3.19     3.19     3.19
レンズ全長    78.39    78.39    78.39 
BF             9.14    13.16    11.56 
d 5            1.01    16.10    21.46
d13           22.93     7.84     2.48 
d15            6.40     2.56     2.25 
d21            4.60     4.42     6.33 
d24            5.87     9.88     8.29 
入射瞳位置    19.28    85.33   164.38 
射出瞳位置   3663.98   -74.97  -105.06 
前側主点位置  23.92   100.09   190.17 
後側主点位置  -4.64   -20.22   -45.45 
ズームレンズ群データ
群  始面    焦点距離  レンズ構成長  前側主点位置  後側主点位置
1    1      36.96        11.03         2.61         -4.16
2    6      -7.42         8.30         0.39         -6.55
3   14       ∞           0.00         0.00         -0.00
4   16      21.11        10.82        -1.21         -9.73
5   22      21.02         4.17        -0.07         -2.48
6   25       ∞           3.94         1.64         -1.64
単レンズデータ
レンズ  始面  焦点距離
1       1    -70.02
2       2     43.38
3       4     52.37
4       6     -8.70
5       8    -28.93
6      10    -19.34
7      12     16.18
8      16     16.65
9      18    -16.10
10      20     23.37
11      22     12.66
12      23    -29.09
数値実施例２
面データ
面番号       r        d      nd         νd       有効径
1         58.332    1.35   1.84666    23.9       32.71
2         30.014    5.95   1.60311    60.6       30.55
3       -346.123    0.18                         29.74
4         26.455    3.41   1.69680    55.5       26.23
5         73.102  (可変)                         25.29
6        111.783    0.70   1.88300    40.8       14.38
7          7.319    3.18                         10.88
8        -40.681    0.60   1.80610    33.3       10.66
9         32.642    1.21                         10.44
10        -24.800    0.60   1.80400    46.6       10.43
11        233.561    0.10                         10.63
12         23.740    1.93   1.92286    18.9       10.86
13        -44.341  (可変)                         10.81
14(絞り)    ∞     (可変)                          8.69
15*         9.606    3.09   1.58313    59.4       10.24
16       -108.880    4.17                          9.80
17         40.285    0.60   1.80518    25.4        8.20
18          8.806    0.61                          7.96
19*        17.286    2.10   1.58313    59.4        8.03
20       -122.311  (可変)                          8.28
21         12.947    3.06   1.69680    55.5        9.22
22        -23.084    1.00   1.84666    23.9        8.89
23       -168.951  (可変)                          8.69
24          ∞       0.31   1.54400    60.0       20.00
25          ∞       1.00   1.51400    70.0       20.00
26          ∞       0.26   1.54400    60.0       20.00
27          ∞       0.31   1.54400    60.0       20.00
28          ∞       1.15                         20.00
29          ∞       0.50   1.49000    70.0       20.00
30          ∞       0.48                         20.00
31          ∞                                 20.00
像面        ∞   
非球面データ
第15面
K =-8.27323e-001  A 4= 5.43055e-006  A 6= 1.08902e-007  A 8=-9.01539e-010  
第19面
K =-2.21028e-001  A 4=-3.76064e-005  
各種データ
ズーム比     11.78 
焦点距離       4.37    21.00    51.42 
Fナンバー      1.85     2.61     2.88 
半画角（度）   34.49     8.13     3.34 
像高           3.00     3.00     3.00 
レンズ全長    79.69    79.69    79.69 
BF             8.85    12.74    10.38 
d 5            0.94    18.37    24.59 
d13           26.18     8.75     2.53 
d14            6.38     2.43     2.24 
d20            3.50     3.56     6.11 
d23            5.63     9.52     7.16 
入射瞳位置    19.03    95.84   200.22 
射出瞳位置  -205.85   -57.21   -95.71 
前側主点位置  23.31   109.14   224.02 
後側主点位置  -4.35   -20.98   -51.40 
ズームレンズ群データ
群  始面    焦点距離  レンズ構成長  前側主点位置  後側主点位置
1    1      39.98        10.89         2.52         -4.14
2    6      -7.91         8.32         0.21         -6.93
3   14       ∞           0.00         0.00         -0.00
4   15      21.79        10.56        -3.56        -10.66
5   21      19.10         4.06         0.00         -2.35
6   24       ∞           4.01         1.60         -1.60
単レンズデータ
レンズ  始面  焦点距離
1       1    -74.65
2       2     46.07
3       4     57.76
4       6     -8.90
5       8    -22.38
6      10    -27.86
7      12     16.99
8      15     15.28
9      17    -14.12
10      19     26.12
11      21     12.33
12      22    -31.68
数値実施例３
面データ
面番号       r        d      nd         半d       有効径
1         58.055    1.35   1.84666    23.9       31.94
2         30.837    6.05   1.60311    60.6       29.98
3       -316.361    0.18                         29.01
4         26.910    3.40   1.69680    55.5       27.35
5         69.580  (可変)                         26.76
6        136.315    0.70   1.88300    40.8       14.20
7          7.214    3.16                         10.75
8        -50.295    0.60   1.80610    33.3       10.52
9         35.547    0.90                         10.31
10        -26.926    0.60   1.80400    46.6       10.31
11         61.991    0.08                         10.50
12         19.958    1.88   1.92286    18.9       10.73
13        -60.936  (可変)                         10.67
14(絞り)    ∞     (可変)                          9.49
15*        10.411    3.48   1.58313    59.4       11.60
16        -39.102    5.20                         11.20
17       -158.764    0.60   1.80518    25.4        8.89
18          8.539    0.44                          8.60
19*        13.856    2.34   1.58313    59.4        8.57
20        -75.807  (可変)                          8.84
21         15.612    2.33   1.69680    55.5       10.16
22        -43.920    1.00   1.84666    23.9        9.97
23        -51.313  (可変)                          9.84
24          ∞       0.31   1.54400    60.0       20.00
25          ∞       1.00   1.51400    70.0       20.00
26          ∞       0.26   1.54400    60.0       20.00
27          ∞       0.31   1.54400    60.0       20.00
28          ∞       1.15                         20.00
29          ∞       0.50   1.49000    70.0       20.00
30          ∞       0.48                         20.00
31          ∞                                20.00
像面        ∞   
非球面データ
第15面
K =-1.15201e+000  A 4= 2.01901e-005  A 6=-1.58643e-007  A 8=-9.01539e-010  
第19面
K = 4.09719e+000  A 4=-1.96998e-004  A 6=-2.35577e-006  
各種データ
ズーム比     19.40 
焦点距離       4.37    25.51    84.70
Fナンバー      1.85     2.61     2.88 
半画角（度）   34.49     6.71     2.03 
像高           3.00     3.00     3.00
レンズ全長    86.75    86.75    86.75 
BF             9.22    15.19     8.72 
d 5            1.00    19.96    26.72 
d13           27.90     8.94     2.18 
d14            9.16     2.40     2.24 
d20            5.20     5.99    12.61 
d23            6.00    11.97     5.50 
入射瞳位置    19.11   111.46   269.61
射出瞳位置    84.87  -191.69    71.39 
前側主点位置  23.70   133.58   454.83 
後側主点位置  -4.35   -25.49   -84.68 
ズームレンズ群データ
群  始面    焦点距離  レンズ構成長  前側主点位置  後側主点位置
1    1      40.72        10.98         2.44         -4.27
2    6      -7.49         7.91         0.42         -6.05
3   14       ∞           0.00         0.00         -0.00
4   15      22.98        12.06        -6.61        -13.16
5   21      17.68         3.33         0.48         -1.48
6   24       ∞           4.01         1.60         -1.60
単レンズデータ
レンズ  始面  焦点距離
1       1    -79.49
2       2     46.90
3       4     60.98
4       6     -8.65
5       8    -25.76
6      10    -23.28
7      12     16.47
8      15     14.47
9      17    -10.05
10      19     20.29
11      21     16.80
12      22   -383.82
数値実施例４
面データ
面番号       r        d      nd         νd       有効径
1         55.796    1.80   1.84666    23.9       38.80
2         32.207    6.50   1.60311    60.6       35.32
3        889.522    0.20                         34.09
4         32.514    3.26   1.69680    55.5       29.16
5         89.238  (可変)                         28.56
6         70.612    1.00   1.88300    40.8       18.93
7          8.160    3.96                         13.38
8        169.349    0.85   1.80610    33.3       13.02
9         17.698    2.08                         12.37
10        -27.858    0.80   1.80400    46.6       12.35
11         86.365    0.09                         12.65
12         23.231    2.33   1.92286    18.9       12.99
13        -66.340  (可変)                         12.93
14(絞り)    ∞     (可変)                          8.15
15*        12.888    2.94   1.58313    59.4       11.61
16       -151.329    5.31                         11.29
17       1337.235    0.80   1.80518    25.4        9.21
18         14.239    0.19                          8.89
19*        16.466    2.44   1.58313    59.4        8.93
20        -30.911  (可変)                          9.25
21         22.924    2.21   1.69680    55.5        9.99
22        -28.432    0.80   1.84666    23.9        9.88
23       -115.180  (可変)                          9.82
24          ∞       0.19   1.54400    60.0       20.00
25          ∞       0.26   1.54400    60.0       20.00
26          ∞       0.80   1.51400    70.0       20.00
27          ∞       0.19   1.54400    60.0       20.00
28          ∞       1.00                         20.00
29          ∞       0.50   1.49000    70.0       20.00
30          ∞       1.00                         20.00
31          ∞                                 20.00
像面        ∞   
非球面データ
第15面
K =-1.46246e+000  A 4= 3.98811e-005  A 6=-2.10269e-009  A 8= 1.14020e-011  
第19面
K =-9.97784e-001  A 4=-4.36903e-005  
各種データ
ズーム比      9.79 
焦点距離       4.53    21.95    44.31 
Fナンバー      1.85     2.62     2.88
半画角（度）   37.49     8.99     4.48 
像高           3.47     3.47     3.47
レンズ全長    91.33    91.33    91.33
BF            10.34    16.76    16.86
d 5            0.68    21.09    28.26
d13           21.09     5.35     2.70 
d14           15.74     5.05     2.35 
d20            5.91     5.51     3.60 
d23            7.07    13.50    13.59 
d31           -0.01    -0.01    -0.01 
入射瞳位置    19.92    95.32   190.15 
射出瞳位置    35.54  -107.92   -54.62 
前側主点位置  25.02   112.80   198.51
後側主点位置  -4.54   -21.96   -44.32
ズームレンズ群データ
群  始面    焦点距離  レンズ構成長  前側主点位置  後側主点位置
1    1      48.86        11.76         2.32         -4.90
2    6      -8.44        11.11         0.78         -8.58
3   14       ∞           0.00         0.00         -0.00
4   15      21.48        11.68         0.90         -9.07
5   21      30.95         3.01         0.18         -1.57
6   24       ∞           3.94         1.64         -1.64
単レンズデータ
レンズ  始面  焦点距離
1       1    -93.24
2       2     55.25
3       4     71.71
4       6    -10.53
5       8    -24.58
6      10    -26.12
7      12     18.88
8      15     20.50
9      17    -17.88
10      19     18.78
11      21     18.54
12      22    -44.78
数値実施例５
面データ
面番号       r        d      nd         νd       有効径
1         55.044    1.80   1.84666    23.9       47.30
2         32.377    7.98   1.60311    60.6       41.76
3        384.477    0.20                         40.60
4         29.483    3.37   1.69680    55.5       29.54
5         70.172  (可変)                         28.37
6         53.719    1.00   1.88300    40.8       21.77
7          8.281    4.02                         14.43
8         65.026    0.85   1.80610    33.3       14.26
9         14.683    2.24                         13.14
10        -29.241    0.80   1.80400    46.6       13.15
11         58.250    0.12                         13.31
12         21.358    2.23   1.92286    18.9       13.60
13        -90.257  (可変)                         13.47
14(絞り)    ∞     (可変)                          7.99
15*        12.709    3.22   1.58313    59.4       10.60
16       -213.627    4.58                         10.21
17        111.036    0.80   1.80518    25.4        9.32
18         14.346    0.44                          9.30
19*        17.010    2.46   1.58313    59.4        9.47
20        -30.355  (可変)                          9.72
21         21.876    2.45   1.69680    55.5       10.46
22        -23.378    0.80   1.84666    23.9       10.30
23       -187.189  (可変)                         10.20
24          ∞       0.19   1.54400    60.0       20.00
25          ∞       0.26   1.54400    60.0       20.00
26          ∞       0.80   1.51400    70.0       20.00
27          ∞       0.19   1.54400    60.0       20.00
28          ∞       1.00                         20.00
29          ∞       0.50   1.49000    70.0       20.00
30          ∞       1.00                         20.00
31          ∞                                 20.00
像面        ∞   
非球面データ
第15面
K =-1.10400e+000  A 4= 1.25699e-005  A 6= 4.59169e-008  A 8= 1.14020e-011  
第19面
K =-1.35359e+000  A 4=-3.00917e-005  A 6= 3.13643e-008  
各種データ
ズーム比      9.79 
焦点距離       3.97    20.23    38.90 
Fナンバー      1.85     2.62     2.88
半画角（度）   41.16     9.74     5.10 
像高           3.47     3.47     3.47
レンズ全長    92.04    92.04    92.04 
BF            10.05    15.06    16.94 
d 5            0.68    19.89    26.64 
d13           22.99     4.30     2.18 
d14           15.41     6.00     2.24 
d20            3.54     7.43     4.67 
d23            6.77    11.79    13.66 
d31           -0.00    -0.00    -0.00 
入射瞳位置    21.96    88.67   161.04 
射出瞳位置    31.33  -226.62   -58.41 
前側主点位置  26.44   107.10   174.04 
後側主点位置  -3.97   -20.23   -38.90 
ズームレンズ群データ
群  始面    焦点距離  レンズ構成長  前側主点位置  後側主点位置
1    1      50.01        13.35         2.55         -5.66
2    6      -8.26        11.26         1.11         -8.21
3   14       ∞           0.00         0.00         -0.00
4   15      19.98        11.50         1.97         -8.11
5   21      33.33         3.25        -0.02         -1.90
6   24       ∞           3.94         1.64         -1.64
単レンズデータ
レンズ  始面  焦点距離
1       1    -96.37
2       2     58.12
3       4     70.57
4       6    -11.20
5       8    -23.71
6      10    -24.12
7      12     18.90
8      15     20.68
9      17    -20.54
10      19     19.06
11      21     16.59
12      22    -31.62
数値実施例６
面データ
面番号       r        d      nd         νd       有効径
1         57.988    1.35   1.84666    23.9       32.48
2         30.819    6.04   1.60311    60.6       30.94
3       -324.997    0.18                         30.75
4         26.823    3.48   1.69680    55.5       29.44
5         68.066  (可変)                         29.01
6        104.465    0.70   1.88300    40.8       14.32
7          7.051    3.43                         10.74
8        -61.146    0.60   1.83481    42.7       10.39
9         44.846    0.83                         10.20
10        -26.683    0.60   1.80400    46.6       10.19
11         51.085    0.05                         10.33
12         18.984    1.79   1.92286    18.9       10.52
13       -101.633  (可変)                         10.42
14(絞り)    ∞     (可変)                          9.77
15*        10.654    3.45   1.58313    59.4       11.93
16        -36.872    5.20                         11.59
17         51.015    0.60   1.80518    25.4        8.72
18          6.982    0.48                          8.30
19*         9.565    2.44   1.58313    59.4        8.45
20         51.062  (可変)                          8.56
21         15.217    2.19   1.69680    55.5        9.79
22        -68.564    1.00   1.84666    23.9        9.61
23        -66.242  (可変)                          9.47
24          ∞       0.31   1.54400    60.0       20.00
25          ∞       1.00   1.51400    70.0       20.00
26          ∞       0.26   1.54400    60.0       20.00
27          ∞       0.31   1.54400    60.0       20.00
28          ∞       1.15                         20.00
29          ∞       0.50   1.49000    70.0       20.00
30          ∞       0.48                         20.00
31          ∞                                 20.00
像面        ∞   
非球面データ
第15面
K =-1.20929e+000  A 4= 7.62696e-006  A 6=-2.31839e-007  A 8=-9.01539e-010  
第19面
K = 1.65150e+000  A 4=-1.66367e-004  A 6=-2.00848e-006  
各種データ
ズーム比     21.00 
焦点距離       4.37    26.89    91.70 
Fナンバー      1.85     2.61     2.88 
半画角（度）   34.49     6.37     1.87 
像高           3.00     3.00     3.00 
レンズ全長    86.89    86.89    86.89 
BF             9.22    16.05     8.72 
d 5            1.00    20.23    27.08 
d13           28.26     9.04     2.18 
d14            8.80     2.40     2.24 
d20            5.20     4.77    12.26 
d23            6.00    12.83     5.50 
入射瞳位置    19.22   115.40   290.04
射出瞳位置   146.13   -86.72    96.73
前側主点位置  23.72   133.95   468.68
後側主点位置  -4.35   -26.87   -91.68
ズームレンズ群データ
群  始面    焦点距離  レンズ構成長  前側主点位置  後側主点位置
1    1      40.95        11.05         2.39         -4.36
2    6      -7.21         7.99         0.62         -5.77
3   14       ∞           0.00         0.00         -0.00
4   15      22.44        12.17        -7.28        -13.18
5   21      18.03         3.19         0.37         -1.49
6   24       ∞           4.01         1.60         -1.60
単レンズデータ
レンズ  始面  焦点距離
1       1    -79.50
2       2     46.97
3       4     61.40
4       6     -8.59
5       8    -30.91
6      10    -21.73
7      12     17.46
8      15     14.56
9      17    -10.11
10      19     19.76
11      21     18.07
12      22    1929.34